(57)【要約】  腕時計の構造は、ムーブメント、電池、及び伝統的な時計の機能に必要な機構の全てを収容するケースから構成される。ケースは、ケースの内部に取り付けられている磁石の力に起因して浮いた状態に留まり、これらの磁石には、ケース内のこれらの磁石と同じ極性を有するように構成される、ベースフレーム内の同数の磁石が反発する。ケースは、光拡散体、並びに、ケースがベースに接すると光をオンにし、それによって、手、文字盤の時間及び日付を照明する接点も含むことができる。【選択図】図４
2014505238.tif 000002
【特許請求の範囲】
【請求項１】
腕時計の構造であって、ムーブメント、電池、及び伝統的な時計の機能に必要な機構の全てを収容するケースから構成され、該ケースは、該ケースの内部に取り付けられている磁石の力に起因して浮いた状態に留まり、前記磁石には、前記ケース内の該磁石と同じ磁場を有するように構成される、ベースフレーム内の同数の磁石が反発することを特徴とする、腕時計の構造。
【請求項２】
前記ベースフレームは、腕時計バンドを締結する留め金部材を有する環状部品から構成され、該環状部品から、前記ケースの横方向保持部材が延びていることを特徴とする、請求項１に記載の時計構造。
【請求項３】
前記横方向保持部材は半円形の壁から構成され、該半円形の壁は、内側が時計のケースを囲む上縁保持部を含み、前記時計のケースは、垂直方向に移動することが可能であるが、上部が、横壁の前記保持部の縁によって保持されており、底部が、前記ベースフレームに取り付けられているプレートによって保持されており、前記プレートは、前記ベースフレームにおいて前記環状部品に合流することを特徴とする、請求項１に記載の時計構造。
【請求項４】
前記ケースは、その上部に、光拡散体及び文字盤を含むことを特徴とする、請求項１に記載の時計構造。
【請求項５】
前記ケースは、該ケースが前記ベースに接すると光をオンにすることを可能し、それによって、手、文字盤の時間及び日付を照明する接点からも構成されることを特徴とする、請求項１に記載の時計構造。
【発明の詳細な説明】
【技術分野】
【０００１】
本発明の主題は、腕時計の構造である。
【背景技術】
【０００２】
腕時計とは、昔から常に、優れた美観及び設計の特徴を有する物であることがよく知られており、デザイナー達は、美観又は機能性の観点から、新たな構造を絶えず探し求めている。
【発明の概要】
【発明が解決しようとする課題】
【０００３】
本発明の課題は、新規の独創的な腕時計の構造を作り出すことである。
【０００４】
この課題の一部として、本発明の１つの目的は、優れた技術的特徴を有する腕時計の構造を作り出すことである。
【０００５】
別の目的は、機能的である腕時計の構造を作り出すことである。
【課題を解決するための手段】
【０００６】
本発明の腕時計の構造は、その特定の構造特徴に関して、使用上の信頼性及び安全性の最大限の保証を確実にすることが可能である。
【０００７】
以下でより詳細に記載するこの目的及び他の目的は、腕時計の構造であって、ムーブメント、電池、及び伝統的な時計の機能に必要な機構の全てを収容するケースから構成されることを特徴とする、腕時計の構造によって達成される。ケースは、ケースの内部に取り付けられている磁石の力に起因して浮いた状態に留まり、これらの磁石には、ケース内のこれらの磁石と同じ磁場を有するように構成される、ベースフレーム内の同数の磁石が反発する。
【０００８】
ケースは、ケースがベースに接すると光が点灯することを可能にし、それによって、手、文字盤の時間及び日付を照明する接点からも構成される。
【０００９】
本発明の主題の更なる特徴及び利点は、代表的なサンプルに過ぎず網羅的ではない添付の図において説明されるような、本発明の構造の好ましいが限定的ではない形態の記載の考察によってより詳細に明らかになる。
【図面の簡単な説明】
【００１０】
【図１】本発明による腕時計の構造の斜視図である。
【図２】時計の構造の別の斜視図である。
【図３】時計の構造の部材を示す、分解側面図である。
【図４】本発明の主題である時計の構造の平面図である。
【発明を実施するための形態】
【００１１】
上述した図面の参照符号を特に参照すると、図１に全体的に示される本発明による腕時計の構造は、ベースフレーム２を備え、腕時計バンドを締結する留め金部材４を有する環状部品３から構成される。
【００１２】
環状部品３からは、好ましくは上縁保持部６を含む半円形の壁から構成される横方向保持部材５が延びている。
【００１３】
横壁５の内側は、時計のケース７を囲んでおり、時計のケース７は、垂直方向に移動することが可能であるが、上部が、横壁の保持部６の縁によって保持されており、底部が、ベースフレーム２に取り付けられているプレート８によって保持されており、プレート８は、ベースフレーム２において環状部品３に合流する。
【００１４】
ケース７は、ムーブメント１０、電池６、及び伝統的な時計の機能に必要な機構の全てを収容している。
【００１５】
ケースは、その上部に、光拡散体１１及び文字盤１２を更に含む。
【００１６】
本発明によると、ケース７は、ケース内部に取り付けられている１つ又は複数の磁石１３が加える力に起因して浮いているか又は浮遊しており、１つ又は複数の磁石１３には、ベースフレーム２に取り付けられている固定磁石１４が反発する。
【００１７】
ケース内の磁石１３及び固定磁石１４は、同じ磁場を有し、互いに面し、それによって互いに反発し合うように配置されている。
【００１８】
ケース７の内部には、ケースがベース８に接すると光が点灯することを可能し、それによって、手、文字盤１２の時間及び日付を照明する接点もある。
【００１９】
実際に、本発明は所定の課題及び目的を達成することが分かった。
【００２０】
このことは、ケースが保持フレーム内で浮遊する新規の独創的な「浮いた」時計構造が作り出されたことを意味する。
【００２１】
ベースフレームは、ケースが浮いていることの視認を可能にするように好適に開口している側面を有する。
【００２２】
当然ながら、用いられる材料及びサイズは、必要性に合わせて変えることができる。
【図１】
2014505238.tif 000003
【図２】
2014505238.tif 000004
【図３】
2014505238.tif 000005
【図４】
2014505238.tif 000006
【手続補正書】
【提出日】平成24年5月18日(2012.5.18)
【手続補正１】
【補正対象書類名】特許請求の範囲
【補正対象項目名】全文
【補正方法】変更
【補正の内容】
【特許請求の範囲】
【請求項１】
腕時計の構造であって、ムーブメント、電池、及び伝統的な時計の機能に必要な機構の全てを収容するケースを含む、横方向保持部材及び上縁保持部から構成され、前記ケースの内部に取り付けられている磁石に、ベースフレーム内に取り付けられているとともに前記ケース内の前記磁石と同じ極性を有するように構成される同数の磁石が反発し、それによって、前記ケースは浮いた状態に留まることを特徴とする、腕時計の構造。
【請求項２】
前記ベースフレームは、腕時計バンドを締結する留め金部材を有する環状部品から構成され、該環状部品から、前記ケースの前記横方向保持部材が延びていることを特徴とする、請求項１に記載の時計構造。
【請求項３】
前記横方向保持部材は、内側が時計のケースを囲む前記上縁保持部を含む半円形の壁から構成され、前記時計のケースは、垂直方向に移動することが可能であるが、上部が、横壁の前記保持部の縁によって保持されており、底部が、前記ベースフレームに取り付けられているプレートによって保持されており、前記プレートは、前記ベースフレームにおいて前記環状部品に合流することを特徴とする、請求項１に記載の時計構造。
【請求項４】
前記ケースは、その上部に、光拡散体及び文字盤を含むことを特徴とする、請求項１に記載の時計構造。
【請求項５】
前記ケースは、該ケースが前記ベースに接すると光をオンにすることを可能し、それによって、手、文字盤の時間及び日付を照明する接点も含むことを特徴とする、請求項１に記載の時計構造。
【国際調査報告】
2014505238.tif 000007
2014505238.tif 000008